(57)【要約】【課題】デジタル放送受信装置において、ＰＯＤが1系統しかなくても、番組視聴時に裏番組録画を可能とする。【解決手段】スクランブルが掛けられた番組コンテンツを視聴するために、ＰＯＤを用いてストリームのデスクランブルを行うが、番組視聴中に別のチャネルの番組、すなわち裏番組を録画する場合、そのままではＰＯＤが2系統なければ裏番組録画が実現できない。そこで、番組視聴中に裏番組録画を行う場合はスクランブルが掛かったまま記録し、それをユーザが受信装置未使用時かまたは、ユーザ操作によって、ＰＯＤにストリームを戻し、そこでデスクランブルしたものを再度記録することで、裏番組録画を実現する。【選択図】  図１
2008154014.tif 000002
【特許請求の範囲】
【請求項１】
スクランブル化又は暗号化された情報を受信する受信装置であって、
スクランブル化又は暗号化を解除された情報を表示する表示部と、
受信した情報を記録する記録部と、
前記記録部に記録した情報のスクランブル化又は暗号化を解除するタイミングを設定する制御部とを有する受信装置。
【請求項２】
請求項１の受信装置であって、
前記制御部は、前記タイミングとして設定された時刻にスクランブル化又は暗号化の解除を実行させる受信装置。
【請求項３】
請求項１の受信装置であって、
前記制御部は、記録した情報のうち所定の番組について当該番組について設定された時刻にスクランブル化又は暗号化の解除を実行させる受信装置。
【請求項４】
請求項１の受信装置であって、
前記制御部は、前記記録部に記録した情報を読み出してスクランブル化又は暗号化を解除させ、スクランブル化又は暗号化を解除させた情報を前記記録部に再記録させる受信装置。
【請求項５】
請求項１の受信装置であって、
前記表示部は、受信してスクランブル化又は暗号化を解除された情報と、前記記録部に再記録された情報とを、前記表示部の一画面内に表示する受信装置。
【請求項６】
請求項１の受信装置であって、
スクランブル化又は暗号化を解除する解除部を装着する解除部装着部をさらに有する受信装置。
【請求項７】
請求項１の受信装置であって、
前記制御部は、第１の番組を視聴中に別の第２の番組をスクランブル化又は暗号化された状態且つデマルチプレクスしない状態で前記記録部で記録させる受信装置。
【請求項８】
請求項１の受信装置であって、
前記制御部は、前記受信装置が待機状態であるとき、スクランブル化又は暗号化の解除を実行させる受信装置。
【請求項９】
請求項１の受信装置であって、
スクランブル化又は暗号化の解除中に前記受信装置へのユーザの操作を受けた場合、スクランブル化又は暗号化の解除中のコンテンツ以外のスクランブル化された情報の視聴はできない旨、又は、スクランブル化又は暗号化の解除終了までの見込時間を通知する受信装置。
【請求項１０】
請求項１の受信装置であって、
前記制御部は、ユーザから前記タイミングの設定入力を受ける受信装置。
【請求項１１】
請求項１０の受信装置であって、
前記設定入力として、スクランブル化又は暗号化を解除されていない録画された番組がある場合に指定した時刻にスクランブル化又は暗号化の解除を実行させる項目の設定入力を受ける受信装置。
【請求項１２】
請求項１１の受信装置であって、
前記制御部は、前記指定した時刻と予約録画の時刻とが被るとき予約録画を優先する受信装置。
【請求項１３】
請求項１０の受信装置であって、
前記制御部は、前記設定入力されたタイミングが、予約録画のタイミングと被るときに、当該設定入力を禁止する又は予約録画を解除する受信装置。
【請求項１４】
請求項１の受信装置であって、
前記制御部は、録画した番組のスクランブル化又は暗号化を解除のタイミングと被る予約録画の設定を通知又は抑止する受信装置。
【請求項１５】
受信装置であって、
所望の物理チャンネルの信号を抽出する複数のチューナ手段と、
前記チューナ手段で抽出された信号を復調してデジタルストリームを出力する複数の復調手段と、
前記復調手段で出力されたストリームのスクランブル化又は暗号化を解除する解除手段と、
デジタルストリームを分離する分離手段と、
デジタルストリームを記録媒体に記録し、且つ、記録されたデジタルストリームを読み出す記録読出手段と、
前記解除手段、前記分離手段、又は前記記録読出手段の入出力を切り替える切替手段と、
前記分離手段から入力された信号をデコードして出力するＭＰＥＧデコーダとを有する受信装置。
【請求項１６】
受信装置であって、
所望の物理チャンネルの信号を抽出する複数のチューナ手段と、
前記チューナ手段で抽出された信号を復調してデジタルストリームを出力する複数の復調手段と、
デジタルストリームのスクランブル化又は暗号化を解除する解除手段と、
デジタルストリームを分離する分離部と、
デジタルストリームを記録媒体に記録し、且つ、記録されたデジタルストリームを読み出す記録読出手段と、
前記復調手段、前記解除手段、前記分離手段、又は前記記録読出手段の入出力を切り替える切替手段と、
前記分離手段から入力された信号をデコードして出力するＭＰＥＧデコーダとを有する受信装置。
【請求項１７】
請求項１５又は１６の受信装置であって、
前記解除手段は、リムーバブル暗号化スクランブル化解除モジュールである受信装置。
【請求項１８】
請求項１５又は１６の受信装置であって、
前記記録再生手段への録画中でなく、且つ、前記記録再生手段に記録されたデジタルストリームの再生中でないとき、ユーザの操作によって、前記解除手段は前記記録読出手段に記録されたデジタルストリームのスクランブル化又は暗号化の解除を実行する受信装置。
【請求項１９】
請求項１５又は１６の受信装置であって、
視聴中のコンテンツがコピーフリーのコンテンツであって且つ録画したいコンテンツがスクランブル化又は暗号化されたコンテンツである場合、前記制御部は、視聴するコンテンツは前記解除手段を使用せず、録画するコンテンツのデジタルストリームは前記解除手段を使用してスクランブル化又は暗号化を解除してから前記記録再生手段に記録させる受信装置。
【請求項２０】
請求項１５又は１６の受信装置であって、
視聴するコンテンツがスクランブル化又は暗号化されたコンテンツであって且つ録画するコンテンツがコピーフリーのコンテンツである場合、録画するコンテンツは前記解除手段を使用せず、視聴する番組は前記解除手段を使用してスクランブル化又は暗号化を解除する受信装置。
【発明の詳細な説明】
【技術分野】
【０００１】
技術分野は、限定受信に対応した受信装置や方法である。特に例えばいわゆる裏番組（同じ時間帯に異なるチャネルで放送されている番組、counter-program）の録画又はその再生に関する。
【背景技術】
【０００２】
限定受信に対応した受信装置において、いわゆる裏番組の録画を実現する受信装置として、例えば特許文献１には「安価に裏番組録画を可能にするデジタル放送記録再生装置を提供することを目的とする」（要約参照）という技術が示唆されている。
【０００３】
また特許文献２には、「限定受信方式を用いたデジタル放送を受信して、そのスクランブルされて放送された信号をスクランブルされた信号のまま一旦記録し、これを再生するときにデスクランブルを行う。即ち、放送番組の開始以前に送られるＥＭＭ（個別情報）を一旦受信機のＥＭＭ記憶部１１３あるいは受信機に付属する情報処理媒体１１０内のメモリに記録しておき、放送番組の信号を記録する際にはこの受信機内に記録されているＥＭＭを読み出して、スクランブルされた放送番組の信号及びＥＣＭ（番組情報）とともに記録媒体に記録し、再生時には、この記録媒体に記録された信号を再生してデスクランブルして視聴する」（要約参照）と記載されている。
【０００４】
【特許文献１】特開２０００−２７８６４６号公報
【特許文献２】特開２０００−１１５０９１号公報
【発明の開示】
【発明が解決しようとする課題】
【０００５】
近年、デジタル放送への移行が進んでいる。このデジタル放送では、限定受信システムと呼ばれる技術が用いられる。限定受信システム（Conditional Access System、ＣＡＳ）とは、例えば受信機器に顧客管理や課金管理を行うＩＣカード等を搭載し、このＩＣカード等を通じて特定の視聴者だけが放送を受信でき、ほかの視聴者はスクランブルのため、受信できないようにする等のシステムである。
【０００６】
この限定受信システムを実現する技術は、放送事業者や国によって異なる。例えば、スクランブルを解くために、日本の地上デジタル放送や衛星デジタル放送ではＢ−ＣＡＳカード（BS-Conditional Access Systems Card）が採用され、日本のケーブルテレビや米国や欧州や中国のデジタル放送においてはＰＯＤ（Point of Deployment）等の暗号化やスクランブル化を解除するユニットがリムーバブル（着脱可）なリムーバブル暗号化スクランブル化解除モジュールが採用又は採用される方向である。なお、リムーバブル暗号化スクランブル化解除モジュールは、暗号化又はスクランブル化されたストリームを復号できるリムーバブルなモジュールであるという意味でリムーバブル暗号ストリーム復号モジュールともいう。リムーバブルであり、例えばＰＣＭＣＩＡやＵＳＢ等のインタフェースにより接続される。以下、ＰＯＤを代表として説明する。
【０００７】
Ｂ−ＣＡＳカードでは、暗号を解くための鍵データを受信装置との間でやり取りする。スクランブルを解く処理をするのは受信装置本体であって、Ｂ−ＣＡＳカード内で実行するわけではない。よって特許文献１のように、受信装置側に受信部を二つ設け、それぞれがデスクランブラを有することで、Ｂ−ＣＡＳカードが一枚であっても、二つの受信部で同時にデスクランブルして、裏番組を録画することができる。
【０００８】
一方、ＰＯＤとは、ＣＡＳに対応するセキュリティ・モジュールである。Ｂ−ＣＡＳカードとは異なり、ＰＯＤの場合はそのＰＯＤ（ＰＯＤカード）の中にスクランブルを解く機能を備えている。また、同時に二つのチューナから出力された異なる物理チャンネルのトランスポートストリームを二つ同時に入力するインターフェースを従来のＰＯＤでは備えていない。よって、一枚のＰＯＤでは複数のトランスポートストリームをデスクランブルすることができず、特許文献１のように受信部とデスクランブラを二つ設けても、ＰＯＤでは裏番組をデスクランブルして録画することができない。なお、ＰＯＤカードを例えば２枚所有すると、２契約することになり、ユーザは倍の料金を支払わなくてはならない。
【０００９】
また、特許文献２のように、再生時にデスクランブルするようにすると、例えば録画した番組を受信している番組の視聴中に複数画面にそれぞれ表示するマルチ画面機能やpicture in picture機能等を実現できない。また、録画した番組を適法に他の記録媒体や装置へムーブさせたとしても、その装置にもＰＯＤが搭載されていないと再生できない。このように機能に制限がかかり、ユーザにとって不便である。
【００１０】
なお、或る番組（表番組）と同じ時間帯に異なるチャネルで放送されている裏番組の録画について説明したが、表番組と裏番組とを複数画面にそれぞれ表示して視聴する裏番組の視聴でも同様の課題がある。
【課題を解決するための手段】
【００１１】
そこで例えば、一枚のＰＯＤ（ＰＯＤカード）を用いて、表番組の視聴又は録画と並行した裏番組の録画又は視聴を実現する。
【００１２】
具体的に例えば、一旦裏番組録画用のストリームをスクランブルが掛かったまま、内蔵のＨＤＤなど記録再生手段に記録し、ユーザが視聴していない時間帯か、もしくはユーザ操作により、記録再生手段に格納されたストリームを出力し、それをＰＯＤを介してデスクランブルした後、もう一度記録再生手段に格納する。
【発明の効果】
【００１３】
上記手段によれば、例えば、ユーザは表番組の視聴中にも裏番組の録画し、それを再生することができる。また例えば、再生時には、他の番組を視聴中に録画した番組を表示することもでき、ＰＯＤ未対応の他の装置へムーブしての再生もできる。
【００１４】
上記以外の課題、手段、効果は、以下の実施形態の説明でも述べられる。
【発明を実施するための最良の形態】
【００１５】
以下、スクランブル化又は暗号化された番組（表番組）を視聴中に他チャンネルのスクランブル化又は暗号化された番組（裏番組）を録画することを、デジタルストリームのスクランブル化又は暗号化を解除するＰＯＤが１系統しかないという制限のついた条件で実現する実施例を説明する。
【００１６】
実施例では一例として、デジタル放送でスクランブル化された番組のデジタルストリームを受信するデジタル放送受信装置を説明する。デジタル放送受信装置としては、例えばＨＤＤレコーダ、テレビ、携帯電話、パソコン等が挙げられる。
【００１７】
ただし本発明の実施は本実施例に限定されない。例えば番組で説明するが、番組に限られずコンテンツとも称する。またデジタル放送に限られず、ＩＰ通信やケーブルＴＶネットワークで送信されるコンテンツであってもよい。
【００１８】
（１）構成例
まず、装置の構成とその役割及び動作を説明する。
【００１９】
（１−１）構成例１
図１はデジタル放送受信装置の構成例を示すブロック図である。ハードウェアとして示しているが一部がソフトウェアで構成されても良い。
【００２０】
テレビ番組視聴時には、例えば同軸ケーブルからデジタル放送信号が受信装置入力１として入力される。受信装置に入力された信号はチューナＡ２に供給され、入力された信号から所望の物理チャンネルが選局される。この選局動作は復調部Ａ４により制御される。
【００２１】
チューナＡ２から出力された信号は復調部Ａ４に供給され、復調される。復調部Ａ４から出力された信号は、ＰＯＤ６に供給され、スクランブルが解かれ、出力される。この復調部Ａ４より出力された信号は信号切換部７を通り、デマルチプレクサ９に供給される。
【００２２】
デマルチプレクサ９に供給された信号は映像データ、音声データなどに分離され、それぞれがＭＰＥＧデコーダ１０に供給される。ＭＰＥＧデコーダ１０では、符号化された映像データと音声データを復号し、それぞれを映像信号と音声信号として出力する。表示装置１３およびスピーカ１４を付属すればテレビジョンセットとして使用できる。
【００２３】
復調部Ａ４、ＰＯＤ６、信号切換部７、デマルチプレクサ９、ＭＰＥＧデコーダ１０は制御部８によって制御される。また図１では、制御部８とデマルチプレクサ９とＭＰＥＧデコーダ１０を有する、バックエンドＬＳＩを一つの例として示している。
【００２４】
テレビ番組録画時には、デマルチプレクサ９から出力されたＭＰＥＧストリームは、信号切換部７を通り、記録再生部１２に記録される。記録再生部１２には例として、受信機内蔵型のハードディスクドライブが挙げられる。
【００２５】
テレビ番組録画したコンテンツの再生時には、記録再生部１２から出力されたストリームは信号切換部７を介してデマルチプレクサ９に供給される。デマルチプレクサ９で分離されたストリームはＭＰＥＧデコーダ１０でデコードされ、映像信号と音声信号が出力される。
【００２６】
次に、テレビ番組視聴時の同時録画の動作例について述べる。テレビ番組視聴は上記の通りである。さらにこのとき、受信装置に入力された信号はチューナＢ３に供給され、入力された信号から所望の物理チャンネルが選局される。この選局動作は復調部Ｂ５により制御される。チューナＢ３から出力された信号は復調部Ｂ５に供給され、復調される。復調部Ｂ５から出力された信号は、スクランブルが掛かったまま信号切換部７を通り、デマルチプレクサ９に供給される。
【００２７】
また、視聴中の番組がコピーフリーコンテンツである場合は、チューナＢ３に入力される信号の系統を使用し、予約録画しようとする番組はチューナＡ３に入力される信号の系統を使用することによって、デスクランブル処理をして記録再生部１２に番組を記録することもできる。
【００２８】
デマルチプレクサ９に供給された信号は映像データ、音声データなどに分離され、それぞれが信号切換部７を通って、記録再生部１２で記録される。記録再生部１２に記録されたストリームはまだスクランブルが解かれていないため、そのままでは視聴できない。
【００２９】
そこで、ユーザが放送受信機を未使用のとき等のタイミングまたはユーザ操作に応じてスクランブルを解くようにする。どのような契機でスクランブルを解くかの設定は、画面例の説明で後述する。構成及び動作としては、記録再生部１２から出力されたストリームは信号切換部７を介して、ＰＯＤ６に供給される。ＰＯＤ６ではこのストリームをデスクランブルして信号切換部７を通ってデマルチプレクサ９に供給される。デマルチプレクサ９で分離されたストリームは信号切換部７を介して記録再生部１２に記録される。この記録されたストリームはスクランブルが解かれているため、再生時は上記のようにして、映像、音声が出力され、ユーザは視聴ができる。
【００３０】
（１−２）構成例２
図２はデジタル放送受信装置の別の構成例を示すブロック図である。図１との違いは、信号切換部７であり、復調部Ａの出力の後ろに位置している。
【００３１】
機器を構成する上で使用しやすい方を実施すれば良いが、図１では復調部Ａの出力は必ずＰＯＤを介してから信号切換部に入力されるところ、本図では、ＰＯＤを介さずにデマルチプレクサに対して出力する場合も選択できるようになっている。この場合、例えばスクランブルの掛かっていない番組を受信している場合、ＰＯＤを介さずに直接後段のデマルチプレクサに出力することができるため、その間ＰＯＤへの電源供給を行わないことにより、消費電力の削減につながる利点がある。
【００３２】
（１−３）構成例３
図３はデジタル放送受信装置の別の構成例を示すブロック図である。図２との違いは、信号切換部７である。
【００３３】
本図の場合、復調部Ａおよび復調部Ｂから入力されるストリームのいずれもＰＯＤ側に出力することが可能となる。図１や図２においては、視聴中の番組においてデスクランブルが出来るのは復調部Ａから入力されるストリームのみであるが、本図では復調部Ｂから入力されるストリームでもＰＯＤ側に出力することが可能となるため、ソフトウェアで制御する際の自由度が上がり、復調部Ａとか復調部Ｂといった区別を意識しなくても使えるようになる利点がある。
【００３４】
（２）画面例
以下、図１から３の表示装置１３において表示する画面例を説明する。
【００３５】
図４は予約録画選択画面の一例を示す。
【００３６】
予約録画選択画面は、ユーザに通常予約録画か裏番組予約録画をするかの選択を促すよう表示する。選択はリモコンでボタン（図４では「通常予約録画」「裏番組予約録画」）を選択入力できるようにしてもよいし、マウスやタッチパネルを用いても良い（以下、画面例の説明について同様）。このような選択入力を受ける構成を総称して選択入力部ともいい、その信号は制御部８に入力される。
【００３７】
通常予約録画を選択すると、録画時には録画中のチャネルを視聴可能だが、一方で他のチャンネルの視聴ができない。一方、裏番組予約録画を選択した場合、録画時に他のチャンネルの視聴が可能だが、録画した番組はデスクランブルされていないため、録画後視聴前にデスクランブルする必要がある。
【００３８】
図５は録画番組デスクランブル選択画面の一例を示す。表示タイミングはテレビ視聴中に例えばメニューボタンを押すと、選択肢の一つに「録画番組デスクランブル」が表示される。なお、ここでは、図４は録画する際にユーザが選択するための画面であり、図５は既に録画された番組で且つデスクランブルされていないコンテンツがある場合にだけメニュー中の選択肢に現れるものとする。また、視聴中に録画ボタンが押された場合は、図４も表示せずにすぐさま通常録画が行われ、予約録画をするときに図４のような通常の予約録画を行うか、裏番組予約録画（録画した後にデスクランブル処理）を行うかの選択画面が表示されるものとする。
【００３９】
録画番組デスクランブル選択画面では、ユーザにどのタイミングで録画した番組のデスクランブルを行うかの選択を促すよう表示する。デスクランブル中は基本的にデスクランブルするコンテンツ以外の番組視聴ができないため、どのタイミングでデスクランブルを行うのかをユーザが選択できるようにしている。
【００４０】
ユーザがすぐにデスクランブルを行いたい場合は、「今すぐデスクランブル」を選択した後、次の画面（図６）でデスクランブルを行う番組を選択する。「オートデスクランブル」は毎日、定刻にデスクランブルを行う機能である。スクランブルされていない番組があると、それを毎日定刻にデスクランブルを行う。時刻設定は次の画面（図８）で行う。ただし、予約録画が入っていて、時間が重複する場合は、予約録画が優先され、その日の「オートデスクランブル」は実行されない。「タイマーデスクランブル」は「オートデスクランブル」に似ているが、こちらはユーザが選択した番組をユーザが指定した日時にデスクランブルを行う。日時の設定は次の画面（図７）で行う。
【００４１】
図６は図５において「今すぐデスクランブル」をユーザが選択した場合、この画面でどの番組のデスクランブルを行うかの選択を促す図である。本図のように、表示可能な番組数（図６の例では８つ）を超える場合は、図中「他の番組」を選択することで、残りの番組を表示する。またデスクランブルする番組の長さによってデスクランブル中に予約録画と被ってしまう場合は、警告通知（図１０）を表示し、当該の予約録画番組名や録画日時を表示して、その番組録画が終了するまで待つかその予約録画番組のキャンセルを行うかの選択を促す。
【００４２】
図７は図５において「タイマーデスクランブル」をユーザが選択した場合、この画面でどの番組を、いつデスクランブルを行うかの選択および日時設定を促す図である。
【００４３】
本図のように、表示可能な番組数（図７の例では４つ）を超える場合は、図中「他の番組」を選択することで、残りの番組を表示する。また開始日時を設定し、最後に「決定」ボタンを押すとタイマーデスクランブルの設定が完了したことになる。また逆に設定したタイマーデスクランブルをキャンセルしたい場合は、キャンセルしたい番組を選択し、そこで「解除」ボタンを押すことでキャンセルが可能である。さらに前述の「今すぐデスクランブル」同様、デスクランブルする番組の長さによってデスクランブル中に予約録画と被ってしまう場合は、警告通知（図１０）を表示し、当該の予約録画番組名や録画日時を表示して、その番組録画が終了するまで待つかその予約録画番組のキャンセルを行うかの選択を促す。
【００４４】
図８は図５において「オートデスクランブル」をユーザが選択した場合、毎日いつデスクランブルを行うかの時刻設定を促す図である。本図のように、開始時刻を設定し、最後に「決定」ボタンを押すとオートデスクランブルの設定が完了したことになる。また「オートデスクランブル」機能を使用しない場合は、同画面で「解除」ボタンを押すことで本機能をキャンセルすることが可能である。
【００４５】
「タイマーデスクランブル」または「オートデスクランブル」がセットされると、テレビを視聴していない待機状態、すなわちテレビの電源スイッチがＯＦＦの状態（ＡＣ断ではない）のとき設定された時刻になるとデスクランブルを実行する。
【００４６】
図９はデスクランブル中にユーザが受信装置の電源を入れたとき又は選局操作を行ったとき等に表示する通知画面の一例を示す。通知画面では、デスクランブルの完了時刻と完了までの時間を表示する。またデスクランブル中にユーザが予約録画を設定しようとした際、デスクランブル中に予約録画が開始となるような時間の重複が発生する場合は、予約録画の設定は行えず、またその旨をユーザに対して通知する。本図のように、デスクランブル中はデスクランブル中のコンテンツおよび一部コピーフリー番組を除くデジタルチャンネルは視聴ができないものとする。が、一方、アナログチャンネルや外部入力においては視聴が可能とする。また例には記載していないが、記録再生装置の性能によっては、デスクランブル中に別の録画番組の再生も可能とし、さらにアナログチャンネルや外部入力を備える受信機においてはこれらの視聴を可能とする。
【００４７】
図１０は「今すぐデスクランブル」や「タイマーデスクランブル」を実行しようとした際、デスクランブルする番組の長さによってデスクランブル中に予約録画と被ってしまう場合に警告通知を表示し、さらに当該の予約録画番組名や録画日時を表示して、その番組録画が終了するまで待つかその予約録画番組のキャンセルを行うかの選択を促す。
【００４８】
なお上述では、デスクランブル中に他のチャンネルの視聴はできないとして説明したが、デスクランブル中にユーザがテレビを見たいときに、録画番組のデスクランブルを一時停止するようにしてもよい。この場合、例えば１時間番組のうち３０分相当をデスクランブルしたところで一時停止し、後刻に残り３０分相当をデスクランブルすると、記録媒体（ＨＤＤ等）の中に二つのファイルが作成される場合には、これら二つのファイルを関連付け又は接合するそれを上手く接合する。また一つのファイルに追記することも考えられる。
【図面の簡単な説明】
【００４９】
【図１】一枚のＰＯＤカードでの視聴中の裏番組録画機能を有したデジタル放送受信装置の構成例１を示すブロック図である。
【図２】一枚のＰＯＤカードでの視聴中の裏番組録画機能を有したデジタル放送受信装置の構成例２を示すブロック図である。
【図３】一枚のＰＯＤカードでの視聴中の裏番組録画機能を有したデジタル放送受信装置の構成例３を示すブロック図である。
【図４】予約録画選択画面において、ユーザに通常予約録画か裏番組予約録画をするかの選択を促す画面の一例である。
【図５】録画番組デスクランブルの選択画面において、ユーザにどのタイミングで録画した番組のデスクランブルを行うかの選択を促す画面の一例である。
【図６】図５において、「今すぐデスクランブル」をユーザが選択した場合、どの番組のデスクランブルを行うかの選択を促す画面の一例である。
【図７】図５において、「タイマーデスクランブル」をユーザが選択した場合、どの番組を、いつデスクランブルを行うかの選択および日時設定を促す画面の一例である。
【図８】図５において、「オートデスクランブル」をユーザが選択した場合、毎日いつデスクランブルを行うかの時刻設定を促す画面の一例である。
【図９】デスクランブル中にユーザが受信装置の電源を入れた時ないし、選局操作を行った際に表示される通知画面の一例である。
【図１０】デスクランブル中に予約録画と被ってしまう場合に表示される通知画面の一例である。
【符号の説明】
【００５０】
１：受信装置入力、２：チューナＡ、３：チューナＢ、４：復調部Ａ、５：復調部Ｂ、６：ＰＯＤ、７：信号切換部、８：制御部、９：デマルチプレクサ、１０：ＭＰＥＧデコーダ、１１：バックエンドＬＳＩ、１２：記録再生部、１３：表示装置、１４：スピーカ
【図１】
2008154014.tif 000003
【図２】
2008154014.tif 000004
【図３】
2008154014.tif 000005
【図４】
2008154014.tif 000006
【図５】
2008154014.tif 000007
【図６】
2008154014.tif 000008
【図７】
2008154014.tif 000009
【図８】
2008154014.tif 000010
【図９】
2008154014.tif 000011
【図１０】
2008154014.tif 000012